(57)【要約】【課題】  デジタルカメラに搭載されている光電変換素子の解像度以上の解像度で被写体を撮影することができ、撮像により得られた被写体の各デジタル画像を結合する際に画像全体を修正する必要のない被写体撮影方法を提供する。【解決手段】  被写体の分割部位を光学系から光電変換素子に投影させて撮像し、撮像した各分割部位のデジタル画像を結合させて当該被写体の画像データとする被写体撮影方法において、被写体に対して光学系の光軸を固定して位置付け、当該光軸に対して垂直な平面上に前記光電変換素子を位置付け、被写体の各分割部位を撮像する際に前記光電変換素子を当該垂直平面上で移動させ、被写体の一分割部位を当該光電変換素子に投影させて隣り合う分割部位が一部重複するデジタル画像を撮像する。【選択図】  図７
2006270620.tif 000002
【特許請求の範囲】
【請求項１】
被写体の分割部位を光学系から光電変換素子に投影させて撮像し、撮像した各分割部位のデジタル画像を結合させて当該被写体の画像データとする被写体撮影方法において、被写体に対して光学系の光軸を固定して位置付け、当該光軸に対して垂直な平面上に前記光電変換素子を位置付け、被写体の各分割部位を撮像する際に前記光電変換素子を当該垂直平面上で移動させ、被写体の一分割部位を前記光電変換素子に投影させて隣り合う分割部位が一部重複するデジタル画像を撮像することを特徴とする被写体撮影方法。
【請求項２】
被験者顔面の分割部位を光学系から光電変換素子に投影させて撮像し、撮像した各分割部位のデジタル画像を結合させて当該被験者顔面の画像データとする顔面撮影方法において、被験者顔面に対して光学系の光軸を固定して位置付け、当該光軸に対して垂直な平面上に前記光電変換素子を位置付け、前記顔面の各分割部位を撮像する際に前記光電変換素子を当該垂直平面上で移動させ、前記顔面の一分割部位を前記光電変換素子に投影させて隣り合う分割部位が一部重複するデジタル画像を撮像することを特徴とする顔面撮影方法。
【請求項３】
被写体を集光する光学系と、当該光学系の光軸を前記被写体に対して固定して位置付ける光軸固定部と、前記光学系を介して前記被写体の分割部位を投影する前記光軸に対して垂直な平面上に位置付けて設けられた光電変換素子と、前記被写体の各分割部位を撮像する際に前記垂直平面上で前記光電変換素子を移動させる平行移動部と、前記被写体の一分割部位を前記光電変換素子に投影させて隣り合う分割部位が一部重複するデジタル画像を撮像する撮像部とを備えていることを特徴とする被写体撮影装置。
【請求項４】
被験者の顔面を集光する光学系と、当該光学系の光軸を被験者の顔面に対して固定して位置付ける光軸固定部と、前記光学系を介して前記顔面の分割部位を投影する前記光軸に対して垂直な平面上に位置付けて設けられた光電変換素子と、前記顔面の各分割部位を撮像する際に前記垂直平面上で前記光電変換素子を移動させる平行移動部と、前記顔面の一分割部位を前記光電変換素子に投影させて隣り合う分割部位が一部重複するデジタル画像を撮像する撮像部とを備えていることを特徴とする顔面撮影装置。
【請求項５】
集光レンズを装着するレンズ取付孔が設けられていて該レンズ取付孔に装着される集光レンズの光軸を被写体に対して固定して位置付ける光軸固定部と、集光レンズを取り外した一眼レフデジタルカメラ本体を装着する撮像部取付部が設けられていて該撮像部取付部に装着される一眼レフデジタルカメラ本体に内蔵された光電変換素子が前記光軸に対して垂直な平面上に位置付けられると共に該垂直平面上で当該光電変換素子を移動させる前記光軸固定部に固定された平行移動部とを備えてなり、前記光軸を固定した状態で一眼レフデジタルカメラ本体を前記平行移動部内で移動させて前記被写体の一分割部位を光電変換素子に投影させ、隣り合う分割部位が一部重複するデジタル画像を撮像する位置へ光電変換素子を位置付けることを特徴とする分割撮影用アダプタ。
【発明の詳細な説明】
【技術分野】
【０００１】
本発明は、被写体の分割部位を撮像する被写体撮影方法、被験者顔面の分割部位を撮像する顔面撮影方法、当該各撮影方法を採用した各撮影装置及び当該各撮影装置に用いる分割撮影用アダプタに関するものである。
【背景技術】
【０００２】
周知の通り、化粧品の販売に当たっては店頭において顧客の顔面を撮影してディスプレイに表示させ、表示された素肌を分析したり、肌測定器を使って肌状態の分析を行ったりして、当該肌の状態に適した化粧方法を提案する美容カウンセリングが行われており、撮影方法には、顔面全体を撮る方法、顔面の分割部位を撮って結合する方法、顔の皮膚面のみを拡大して撮る方法等々が採用されている。
【０００３】
前記顔面の分割部位を撮って結合する方法には、被写体像全体を形成する被写体光束をプリズムによって分割被写体像を形成する被写体光束に分割し、当該各被写体像を分割数と同じ数だけ離反して配置したＣＣＤ撮像素子で撮像するプリズム方式の分割方法（特許文献１参照）や被写体の上方に位置付けられた撮影スタンドに撮影装置を保持してミラーで光束を反射させて被写体の各部分へ光軸の向きを変えて撮像するミラー方式の分割方法が提案されている（特許文献２参照）。
【０００４】
【特許文献１】特開平９−２１４９９２号公報
【特許文献２】特開２０００−２５０９６７号公報
【発明の開示】
【発明が解決しようとする課題】
【０００５】
肌分析には高い解像度で表示できるデータ量を有する観察用画像データが要求されるが、このデータ量を満足できる画素数（例えば、業界では平均して0.2mm程度の毛穴の状態を詳細に観察するためには2,000万画素以上が望ましいとされている。）のデジタルカメラは非常に高価であり、前記顔面全体を撮る撮影方法では、このような高価なデジタルカメラを数多くの店頭毎に常設しなければならず、膨大な設備投資を必要とするという問題点があり、一方、解像度の低い（例えば、600万画素）安価なデジタルカメラでは明確な肌分析ができる観察用画像データを得ることができず、十分な肌分析をもとにした美容アドバイスができないという問題点があった。
【０００６】
また、前記プリズム方式では、被写体光束の光軸をプリズムによって分割被写体の数だけ分離して反射させ、光電変換素子に投影させて撮像しているので、分割した数だけのデジタルカメラを必要とするうえに一つの装置として構成しなければならないので、装置が大型になって店頭に設置できないという問題点や得られた画像はプリズム面で分離した際に濃度ムラが生じるためにこの濃度ムラをフラット処理して濃度を平均化しなければ一枚の合成画像を得られないが、肌分析のための観察用画像データが演算により加工されたものとなって実際の肌の明暗と異なってしまうため、明確な肌分析ができる観察用画像データを得られず、十分な肌分析をもとにした美容アドバイスができないという問題点があった。
【０００７】
さらに、前記ミラー方式では、被写体の中心から被写体の各部分へ光軸をずらして撮影しているので、各分割画像の周囲にはそれぞれ歪みが生じるために一枚の画像に合成するにはこの歪みを修正しなければならないが、画像を加工すれば実際の肌面の凹凸が再現できないので、明確な肌分析ができる観察用画像データを得られず、十分な肌分析をもとにした美容アドバイスができないという問題点があった。
【０００８】
そこで、本発明者等は、前記諸問題点に鑑みて分割撮影方法を採用して一台のデジタルカメラによって該デジタルカメラに搭載されている光電変換素子（例えば、ＣＣＤ）の解像度以上の解像度で被写体を撮影することができ、しかも、撮像により得られた各被写体のデジタル画像を合成する際に画像全体を修正する必要のない撮影方法及び該方法を採用した撮影装置を得ることを技術的課題として、その具現化をはかるべく研究・実験を重ねた。
【０００９】
本発明者等は、一台のデジタルカメラで被写体を分割撮影して各分割画像データを合成して一枚の画像データとすれば、デジタルカメラが有する解像度に被写体を分割した数と同じ数を乗算した解像度の光電変換素子を搭載したデジタルカメラで撮影した場合と同じ画像データを得ることができ、例えば、600万画素のデジタル一眼レフカメラである株式会社ニコン製Ｄ70（画像素子：23.7×15.6mmサイズ原色CCD、総画素数6.24メガピクセル、有効画素数：6.1メガピクセル）では3,008×2,000ピクセル、即ち、約602万ピクセルの画像を生成するが、ＣＣＤのピクセル数と生成される画像のピクセル数とは基本的に一致しないとしても、二分割撮影を行えば、画像を合成する際につなぎ合わせに必要な重複部分に150ピクセルを設定したとして、（3,008×２−150）×2,000＝11,732,000、即ち、約1,173万画素の画像を得ることができ、縦２画像、横２画像の四分割撮影を行えば、（3,008×２−150）×（2,000×２−150）＝22,584,100、即ち、約2,258万画素の画像を得ることができることに着目した。
【００１０】
そこで、本発明者等は、顔面に対してデジタルカメラを平行移動させて撮る方法とデジタルカメラの向きを変えて撮る方法とを採用して顔面の分割撮影を実施したが、カメラを平行移動させて顔面（立体被写体）を撮影した場合には（図１参照）、顔面に対してデジタルカメラを左側へ平行移動させて左から顔面を撮影することで生成する画像とデジタルカメラを右側へ平行移動させて右から顔面を撮影することで生成する画像とでは、図２に示すように、顔面に対する視点が異なっているので左画像と右画像との顔面の向きが相違し、さらに、レンズ特性により撮影した画像周辺に歪みが生じ、画像のつなぎ合わせに必要な重複部分を得ることが困難で容易に合成することができなかった。そして、つなぎ合わせるにはかなりの重なり幅を設定しなければならず、分割撮影の利点を得ることができなかった。また、カメラの向きを変えて顔面を撮影した場合には（図３参照）、分割画像それぞれに歪みが生じて画像を合成することができなかった（図４参照）。
【００１１】
本発明者等は、前記実験例における分割撮影方法や前記従来例における分割撮影方法では、いずれも光学系の光軸が移動或いは変化していることに気づき、光学系の光軸を顔面に対して固定した状態で一台のデジタルカメラで顔面を分割撮影すれば、デジタルカメラが有するスペック以上の高解像度で顔面を撮影することができ、光軸を固定した状態で撮影しているので、各分割画像において撮影条件が変わらず、撮像により得られた各デジタル画像を合成する際に画像全体を修正する必要がないという着想を得、さらに、その具現化をはかるべく研究・実験を重ねた結果、デジタルカメラのレンズ部を顔面に対して固定させ、光電変換素子を内蔵する撮像部のカメラボディを左右（上下）に移動させて顔面の各分割部位を撮影すれば、図５に示すように、カメラボディａが顔面ｂに対して左側（上側）にある場合には、図６に示すように、レンズ部ｃによって集光されている顔面全体の右半分（下側半分）が光電変換素子ｄに投影され、カメラボディａが顔面ｂに対して右側（下側）にある場合にはレンズ部ｃによって集光されている顔面全体の左半分（上側半分）が光電変換素子ｄに投影されて一台のデジタルカメラで顔面全体を撮った場合の二倍の解像度を得ることができ、カメラボディａ、即ち、光電変換素子ｄを顔面ｂに対して左上→右上→右下→左下へと移動させて四分割撮影した場合には光軸が固定されたレンズ部ｃにて集光される顔面ｂの四分割部分が右下部分→左下部分→左上部分→右上部分の順番に投影されて一台のデジタルカメラで顔面全体を撮った場合の四倍の解像度を得ることができ、カメラボディａの移動によるカメラボディ内部の光電変換素子ｄの軌跡として描かれる領域の面積が分割倍数の一枚の光電変換素子として機能するという刮目すべき知見を得、前記技術的課題を達成したものである。
【課題を解決するための手段】
【００１２】
前記技術的課題は、次の通りの本発明によって解決できる。
【００１３】
即ち、本発明に係る被写体撮影方法は、被写体の分割部位を光学系から光電変換素子に投影させて撮像し、撮像した各分割部位のデジタル画像を結合させて当該被写体の画像データとする被写体撮影方法において、被写体に対して光学系の光軸を固定して位置付け、当該光軸に対して垂直な平面上に前記光電変換素子を位置付け、被写体の各分割部位を撮像する際に前記光電変換素子を当該垂直平面上で移動させ、被写体の一分割部位を前記光電変換素子に投影させて隣り合う分割部位が一部重複するデジタル画像を撮像するものである。
【００１４】
また、本発明に係る顔面撮影方法は、被験者顔面の分割部位を光学系から光電変換素子に投影させて撮像し、撮像した各分割部位のデジタル画像を結合させて当該被験者顔面の画像データとする顔面撮影方法において、被験者顔面に対して光学系の光軸を固定して位置付け、当該光軸に対して垂直な平面上に前記光電変換素子を位置付け、前記顔面の各分割部位を撮像する際に前記光電変換素子を当該垂直平面上で移動させ、前記顔面の一分割部位を前記光電変換素子に投影させて隣り合う分割部位が一部重複するデジタル画像を撮像するものである。
【００１５】
また、本発明に係る被写体撮影装置は、被写体を集光する光学系と、当該光学系の光軸を前記被写体に対して固定して位置付ける光軸固定部と、前記光学系を介して前記被写体の分割部位を投影する前記光軸に対して垂直な平面上に位置付けて設けられた光電変換素子と、前記被写体の各分割部位を撮像する際に前記垂直平面上で前記光電変換素子を移動させる平行移動部と、前記被写体の一分割部位を前記光電変換素子に投影させて隣り合う分割部位が一部重複するデジタル画像を撮像する撮像部とを備えているものである。
【００１６】
また、本発明に係る顔面撮影装置は、被験者の顔面を集光する光学系と、当該光学系の光軸を被験者の顔面に対して固定して位置付ける光軸固定部と、前記光学系を介して前記顔面の分割部位を投影する前記光軸に対して垂直な平面上に位置付けて設けられた光電変換素子と、前記顔面の各分割部位を撮像する際に前記垂直平面上で前記光電変換素子を移動させる平行移動部と、前記顔面の一分割部位を前記光電変換素子に投影させて隣り合う分割部位が一部重複するデジタル画像を撮像する撮像部とを備えているものである。
【００１７】
さらに、本発明に係る分割撮影用アダプタは、集光レンズを装着するレンズ取付孔が設けられていて該レンズ取付孔に装着される集光レンズの光軸を被写体に対して固定して位置付ける光軸固定部と、集光レンズを取り外した一眼レフデジタルカメラ本体を装着する撮像部取付部が設けられていて該撮像部取付部に装着される一眼レフデジタルカメラ本体に内蔵された光電変換素子が前記光軸に対して垂直な平面上に位置付けられると共に該垂直平面上で当該光電変換素子を移動させる、前記光軸固定部に固定された平行移動部とを備えてなり、前記光軸を固定した状態で一眼レフデジタルカメラ本体を前記平行移動部内で移動させて前記被写体の一分割部位を光電変換素子に投影させ、隣り合う分割部位が一部重複するデジタル画像を撮像する位置へ光電変換素子を位置付けるものである。
【発明の効果】
【００１８】
本発明によれば、被験者の顔面等の被写体に対して光学系の光軸を固定して位置付けると共に、光軸に対して垂直な平面上に光電変換素子を位置付け、被写体の各分割部位を撮像する際に光電変換素子を垂直平面上で移動させて該光電変換素子に投影しているので、一台のデジタルカメラに搭載されている光電変換素子の解像度以上の解像度で被写体を撮影することができ、しかも、撮像により得られた被写体の各デジタル画像を結合する際に画像全体を修正する必要がない。
【発明を実施するための最良の形態】
【００１９】
実施の形態１．
【００２０】
以下、本発明の実施の形態を被験者顔面とカメラボディとの位置関係を説明する図５と被写体分割部位の投影状態を説明する図６とを参照して図面に基づき説明する。
【００２１】
図７は化粧品販売店舗の店頭に設置された顔面撮影装置の側面図、図８は図７に図示する顔面撮影装置の展開斜視図、図９は図７に図示する顔面撮影装置の平面図であり、同図において撮像部は省略されている。また、図１０は図７に図示する顔面撮影装置の背面図、図１１〜図１５は本発明に係る分割撮影用アダプタの概略背面図、図１６は光電変換素子の移動位置を説明する図であり、これらの図において、１は、被験者顔面２（ｂ）を四分割した各部位をそれぞれ光学系３（ｃ）から撮像部４（ａ）に内蔵された光電変換素子５（ｄ）に投影させて撮像する顔面撮影装置（以下、「撮影装置」ともいう。）であり、前記光学系３は一眼レフデジタルカメラの一眼レフ交換レンズ（集光レンズ）に相当し、前記撮像部４は一眼レフデジタルカメラから前記一眼レフ交換レンズを取り外したカメラ本体に相当し、前記光電変換素子５は一眼レフデジタルカメラのカメラ本体に内蔵されたＣＣＤ（Charge Coupled Device）に相当する。
【００２２】
前記撮影装置１は、被験者顔面２を集光する前記光学系（一眼レフ交換レンズ）３と、光学系３の光軸６を被験者顔面２に対して固定して位置付ける光軸固定部７と、前記光学系３を介して被験者顔面２の四分割各部位を投影する前記光軸６に対して垂直な平面上に位置付けて設けられた前記光電変換素子（ＣＣＤ）５と、前記顔面２の各被写体分割部位を撮像する際に前記光電変換素子５を前記垂直平面上で移動させる平行移動部８と、前記光電変換素子５を内蔵して前記顔面２の一分割部位を光電変換素子５に投影させて隣り合う被写体分割部位が一部重複するデジタル画像を撮像する前記撮像部（一眼レフデジタルカメラのカメラ本体）４とから構成されており、台座９に固定して店頭に設置されている。
【００２３】
前記光軸固定部７は、前記光学系３を挿着するレンズ取付孔10を中央に設けた光軸固定盤11と、光軸固定盤11に装着された光学系３の光軸６を水平方向へ向けるように当該光軸固定盤11の下部から延出して立設された支持ブロック12と、支持ブロック12の下部が幅狭に迫った二股状に形成されて当該下部に対してスライド自在に装着された縦断面ツツミ型ガイドレール13と、当該ガイドレール13を前記光軸６と平行に横設して支持している支持台14と、ガイドレール13を下方からスライド自在に挟んで装着した固定台15と、レンズ取付孔10を囲むようにして光軸固定盤11に取り付けられた蛇腹部16と、当該蛇腹部16の他端側に取り付けられて光学系３のレンズ径をカバーできる広さの口径が開口した移動側支持盤17とから構成されており、前記支持ブロック12の片側には該支持ブロック12をガイドレール13に沿ってスライドさせる回転つまみ18が蝶着され、他方側には支持ブロック12をガイドレール13に固定する捻込つまみ19が蝶着されており、同様に、前記固定台15の片側には該固定台15上でガイドレール13をスライド移動させる回転つまみ20が蝶着され、他方側にはガイドレール13を固定台15に固定する捻込つまみ21（図10参照）が蝶着されている。
【００２４】
前記平行移動部８は、前記光軸固定部７の支持台14に均等位置で固着される矩形の支持枠部22と、支持枠部22の上下枠辺内側の長手方向にそれぞれ横設された左右スライドレール23,23に嵌合する受けスライドレール24,24と支持枠部22の上枠辺外側中央に回動自在に軸着された左右方向移動用レバー25に設けられた長孔26に遊隙状態で挿着される支持軸27とが設けられて該支持枠部22に左右動自在に内設される矩形の横移動内枠部28と、横移動内枠部28の左右枠辺内側の長手方向にそれぞれ縦設された上下スライドレール29,29（図10参照）に嵌合する受けスライドレール30,30と横移動内枠部28の一方の側枠辺外側中央に回動自在に軸着された上下方向移動用レバー31に設けられた長孔32に遊隙状態で挿着される支持軸33とが設けられて該横移動内枠部28に上下動自在に内設される縦移動内枠部34と、一眼レフ交換レンズ（光学系）３が嵌着されるカメラ本体（撮像部）４の集光レンズ保持部35を蝶着する筒状に突設した撮像部取付部36を中央に設けた矩形のカメラ本体保持盤37とから構成されており、前記撮像部取付部36は光学系３のレンズ径をカバーできる広さの口径と同じ口径に開口し、前記支持枠部22の左右枠辺内側には内包に向かって突出した同じ長さのストップ棒38,38が設けられて該ストップ棒38,38によって横移動内枠部28の左右の限界移動位置が指示されている。
【００２５】
そして、前記支持枠部22に前記横移動内枠部28が左右方向移動用レバー25によって左右動可能に内装され、前記横移動内枠部28に前記縦移動内枠部34が前記上下方向移動用レバー31によって上下動可能に内装され、前記縦移動内枠部34に前記カメラ本体保持盤37が封着されると共に、前記移動側支持盤17を前記縦移動内枠部34から前記カメラ本体保持盤37に重ね合わせて取り付けられている。
【００２６】
従って、本実施の形態に係る顔面撮影装置１は、ＣＣＤ（光電変換素子）５を内蔵するカメラ本体（撮像部）４と集光レンズの一眼レフ交換レンズ（光学系）３とからなる一眼レフデジタルカメラと、一眼レフ交換レンズ３を装着する光軸固定部７と、カメラ本体４を装着する平行移動部８とによって構成されており、顔面撮影装置１から市販の一眼レフデジタルカメラのカメラ本体４と市販の集光レンズ３とを除いた光軸固定部７と平行移動部８とで分割撮影用アダプタ（以下、単に「分割アダプタ」ともいう。）39を構成している。
【００２７】
そして、前記分割アダプタ39は、集光レンズ３を装着するレンズ取付孔10が設けられ、該レンズ取付孔10に装着される集光レンズ３の光軸６を顔面２に対して固定して位置付ける前記光軸固定部７と、集光レンズ３を取り外したカメラ本体４を装着する撮像部取付部36が設けられ、該撮像部取付部36に装着されるカメラ本体４に内蔵された光電変換素子５が前記光軸６に対して垂直な平面上に位置付けられると共に、該垂直平面上で光電変換素子５を移動させる、光軸固定部７に固定された前記平行移動部８とを備えている。
【００２８】
次に、顔面撮影方法について説明する。
【００２９】
前記分割アダプタ39を台座９に固定して集光レンズ（例えば、フジノン株式会社製大判カメラ用レンズ135mm/f5.6）３を光軸固定部７の光軸固定盤11に装着し、一眼レフデジタルカメラ（例えば、600万画素の株式会社ニコン製Ｄ70：画像素子・23.7×15.6mmサイズ原色CCD・総画素数6.24メガピクセル、有効画素数・6.1メガピクセル）の一眼レフ交換レンズを取り外した、光電変換素子（600万画素CCD：縦×横・2,000ピクセル×3,008ピクセル、即ち、15.6mm×23.7mm）５を内蔵するカメラ本体４を平行移動部８のカメラ本体保持盤37に装着する。このとき、カメラ本体保持盤37の撮像部取付部36にカメラ本体４の集光レンズ保持部35が嵌着される位置は、カメラ本体４が分割アダプタ39に対して縦向き状態になる位置であり、光軸６に対して垂直な平面上に光電変換素子５が位置付けられている。
【００３０】
次いで、図７に示すように、肌分析する被験者を撮影装置１に対面して座らせて被験者の顔面２の略中央に集光レンズ３の光軸６がくるように位置付ける。このとき、設定した感度（例えば、ISO100）に対して顔面２がぶれないシャッター速度（例えば、30分の１）と顔面２の全面に対してピントが合う被写体深度（例えば、100mm）を保持できる絞り（例えば、f16以上）とにより照明を決定し、当該各条件で得られるイメージサークルに顔面２が納まる該顔面２と集光レンズ３との距離（例えば、90cm）を保持して被験者の顔面２に対して光軸６を固定して位置付け、回転つまみ18を回して固定盤11を前後させてピントを合わせ、ピントが合った位置で捻込つまみ19を回して支持ブロック12をガイドレール13に固定する。
【００３１】
被験者の顔面２の略中央に光軸６を位置付けた状態では、図１１に示すように、分割アダプタ39における支持枠部22の中央にカメラ本体保持盤37の撮像部取付部36が位置付けられており、このとき、集光レンズ３と撮像部取付部36とは重なった位置関係にあり、カメラ本体４における光電変換素子５は、図１６に示すように、投影される顔面２を含むイメージサークルの中央に位置している。
【００３２】
次いで、支持枠部22の左右方向移動用レバー25を操作して横移動内枠部28を分割アダプタ39に対して横方向へ移動させると共に、横移動内枠部28の上下方向移動用レバー31を操作して縦移動内枠部34を分割アダプタ39に対して縦方向に移動させて、図１２に示すように、カメラ本体保持盤37を同図において分割アダプタ39の左上に位置付ける（例えば、ＣＣＤが中央に位置付けられた位置から上に向かって7.2mm、左に向かって11.3mm移動した位置）。このとき、集光レンズ３と撮像部取付部36とは固定状態の集光レンズ３に対して撮像部取付部36が左上にずれた位置関係にあり、カメラ本体４における光電変換素子５は、図１６に示すように、前記イメージサークルの左上に位置付けられて顔面２を四分割した右下部位を投影し、シャターを押せば、当該右下部位顔面が撮像されて右下分割部位のデジタル画像（例えば、3,008ピクセル×2,000ピクセル）が得られる。
【００３３】
次いで、支持枠部22の左右方向移動用レバー25を操作して、図１３に示すように、同図において横移動内枠部28を分割アダプタ39に対して右方向へ移動させてカメラ本体保持盤37を分割アダプタ39の右上に位置付ける（例えば、ＣＣＤが中央に位置付けられた位置から右に向かって11.3mm移動した位置）。このとき、集光レンズ３と撮像部取付部36とは固定状態の集光レンズ３に対して撮像部取付部36が右上にずれた位置関係にあり、カメラ本体４における光電変換素子５は、図１６に示すように、左上に位置付けられていた光電変換素子５の右側端部に左側端部を重ねるようにして前記イメージサークルの右上に位置付けられ、顔面２を四分割した左下部位を投影し、シャターを押せば、当該左下部位顔面が撮像されて左下分割部位のデジタル画像が得られる。従って、前記右下分割部位のデジタル画像と左下分割部位のデジタル画像とでは画像端部において一部重複するデジタル画像（例えば、幅150ピクセル）を共有している。
【００３４】
次いで、横移動内枠部28の上下方向移動用レバー31を操作して、図１４に示すように、同図において縦移動内枠部34を分割アダプタ39に対して下方向に移動させてカメラ本体保持盤37を分割アダプタ39の右下に位置付ける（例えば、ＣＣＤが中央に位置付けられた位置から下に向かって7.2mm移動した位置）。このとき、集光レンズ３と撮像部取付部36とは固定状態の集光レンズ３に対して撮像部取付部36が右下にずれた位置関係にあり、カメラ本体４における光電変換素子５は、図１６に示すように、右上に位置付けられていた光電変換素子５の下側端部に上側端部を重ねるようにして前記イメージサークルの右下に位置付けられ、顔面２を四分割した左上部位を投影し、シャターを押せば、当該左上部位顔面が撮像されて左上分割部位のデジタル画像が得られる。従って、前記左下分割部位のデジタル画像と左上分割部位のデジタル画像とでは画像端部において一部重複するデジタル画像（例えば、幅150ピクセル）を共有している。
【００３５】
次いで、支持枠部22の左右方向移動用レバー25を操作して、図１５に示すように、同図において横移動内枠部28を分割アダプタ39に対して左方向に移動させてカメラ本体保持盤37を分割アダプタ39の左下に位置付ける。このとき、集光レンズ３と撮像部取付部36とは固定状態の集光レンズ３に対して撮像部取付部36が左下にずれた位置関係にあり、カメラ本体４における光電変換素子５は、図１６に示すように、右下に位置付けられていた光電変換素子５の左側端部に右側端部を重ねるようにして前記イメージサークルの左下に位置付けられ、顔面２を四分割した右上部位を投影し、シャターを押せば、当該右上部位顔面が撮像されて右上分割部位のデジタル画像が得られる。従って、前記左上分割部位のデジタル画像と右上分割部位のデジタル画像とでは画像端部において一部重複するデジタル画像（例えば、幅150ピクセル）を共有し、前記左上に位置付けられていた光電変換素子５の下側端部に上側端部が重なり、右下分割部位のデジタル画像と右上分割部位のデジタル画像とでは画像端部において一部重複するデジタル画像（例えば、幅150ピクセル）を共有している。
【００３６】
本実施の形態では、顔面２の各分割部位を撮像する際に光電変換素子５を光軸６の垂直平面上で移動させて光軸６を顔面２に対して固定した状態で撮影しているので、各分割部位の画像において撮影条件が変わらず、撮像により得られた各分割部位のデジタル画像を画像全体で加工する必要がないから、画像処理アプリケーションを用いて右下分割部位のデジタル画像と左下分割部位のデジタル画像と左上分割部位のデジタル画像と右上分割部位のデジタル画像とをそれぞれが共有している一部重複するデジタル画像に基づいて容易に結合することができ、顔面全体の画像データを得ることができる。
【００３７】
また、本実施の形態では、前記光軸６を固定した状態でカメラ本体４を前記平行移動部８内で移動させて前記顔面２の一分割部位を前記光電変換素子５に投影させ、隣り合う分割部位が一部重複するデジタル画像を撮像する位置へ光電変換素子５を位置付ける分割アダプタ39を使用しているので、一枚の光電変換素子５をイメージサークル内を移動させて図１６に示すように略四枚相当の広さの光電変換素子５を使用した画像データが得られるから、一台のデジタルカメラに搭載されている光電変換素子の解像度（例えば、600万画素）以上の解像度（例えば、（3,008×２−150）×（2,000×２−150）＝約2,258万画素）で被験者顔面を撮影することができ、肌分析に必要な高い解像度で表示できるデータ量を有する観察用顔面データを得ることができる。
【００３８】
なお、本実施の形態においては、顔面を四分割する分割アダプタ39について説明したが、横移動内枠部28と縦移動内枠部34との停止位置の設定によって顔面２を二分割、或いは六分割等したデジタル画像を得ることができる。
【００３９】
実施の形態２．
【００４０】
次に、実施の形態１における顔面撮影装置と同じ構成の被写体撮影装置１を用いて五重塔等の建造物を撮影する方法を図面に基づいて説明する。
【００４１】
図１７は五重塔に対して光軸を固定させた被写体撮影装置の側面図、図１８及び図１９は本発明に係る分割撮影用アダプタの概略背面図、図２０は光電変換素子の移動位置を説明する図である。
【００４２】
前記実施の形態１と同様に、分割アダプタ39を台座９に固定して集光レンズ（例えば、フジノン株式会社製大判カメラ用レンズ135mm/f5.6）３を光軸固定部７の光軸固定盤11に装着し、一眼レフデジタルカメラ（例えば、600万画素の株式会社ニコン製Ｄ70：画像素子・23.7×15.6mmサイズ原色CCD・総画素数6.24メガピクセル、有効画素数・6.1メガピクセル）の一眼レフ交換レンズを取り外した、光電変換素子（600万画素CCD：縦×横・2,000ピクセル×3,008ピクセル、即ち、15.6mm×23.7mm）５を内蔵するカメラ本体４を平行移動部８のカメラ本体保持盤37に装着する。そして、カメラ本体保持盤37の撮像部取付部36にカメラ本体４の集光レンズ保持部35が嵌着される位置は、カメラ本体４が分割アダプタ39に対して縦向き状態になる位置であり、光軸６に対して垂直な平面上に光電変換素子５が位置付けられる。
【００４３】
次いで、図１７に示すように、五重塔40の略中央に集光レンズ３の光軸６がくるように位置付ける。このとき、設定した感度（例えば、ISO100）に対して五重塔全体に対してピントが合う被写体深度（例えば、90mm）を保持できる絞り（例えば、f11）とシャッター速度（例えば、１／60）とにより照明を決定し、当該各条件で得られるイメージサークルに五重塔40が納まる該五重塔40と集光レンズ３との距離（例えば、約10m）を保持して該五重塔40に対して光軸６を固定して位置付け、回転つまみ18を回して固定盤11を前後させてピントを合わせ、ピントが合った位置で捻込つまみ19を回して支持ブロック12をガイドレール13に固定する。
【００４４】
五重塔40の略中央に光軸６を位置付けた状態では、分割アダプタ39における支持枠部22の中央にカメラ本体保持盤37の撮像部取付部36が位置付けられており（図１１参照）、このとき、集光レンズ３と撮像部取付部36とは重なった位置関係にあり、カメラ本体４における光電変換素子５は、図２０に示すように、投影される五重塔40を含むイメージサークルの中央に位置している。
【００４５】
次いで、横移動内枠部28の上下方向移動用レバー31を操作して縦移動内枠部34を分割アダプタ39に対して縦方向に移動させて、図１８に示すように、カメラ本体保持盤37を同図において分割アダプタ39の上に位置付ける（例えば、ＣＣＤが中央に位置付けられた位置から上に向かって22.5mm移動した位置）。このとき、集光レンズ３と撮像部取付部36とは固定状態の集光レンズ３に対して撮像部取付部36が上にずれた位置関係にあり、カメラ本体４における光電変換素子５は、図２０に示すように、前記イメージサークルの上に位置付けられて五重塔40を上下に三分割した下部位を投影し、シャターを押せば、当該下部位の五重塔が撮像されて下分割部位のデジタル画像（例えば、3,008ピクセル×2,000ピクセル）が得られる。
【００４６】
次いで、横移動内枠部28の上下方向移動用レバー31を操作して縦移動内枠部34を分割アダプタ39に対して縦方向に移動させて、カメラ本体保持盤37を分割アダプタ39の中央に位置付ける（図１１参照）。このとき、集光レンズ３と撮像部取付部36とは固定状態の集光レンズ３に対して重なった位置関係にあり、カメラ本体４における光電変換素子５は、図２０に示すように、前記イメージサークルの中央に位置付けられて五重塔40を三分割した中央部位を投影し、シャターを押せば、当該中央部位の五重塔が撮像されて中央分割部位のデジタル画像が得られる。従って、前記下分割部位のデジタル画像と中央分割部位のデジタル画像とでは画像端部において一部重複するデジタル画像（例えば、幅150ピクセル）を共有している。
【００４７】
次いで、横移動内枠部28の上下方向移動用レバー31を操作して縦移動内枠部34を分割アダプタ39に対して縦方向に移動させて、図１９に示すように、カメラ本体保持盤37を同図において分割アダプタ39の下に位置付ける（例えば、ＣＣＤが中央に位置付けられた位置から下に向かって22.5mm移動した位置）。このとき、集光レンズ３と撮像部取付部36とは固定状態の集光レンズ３に対して撮像部取付部36が下にずれた位置関係にあり、カメラ本体４における光電変換素子５は、図２０に示すように、前記イメージサークルの下に位置付けられて五重塔40を三分割した上部位を投影し、シャターを押せば、当該上部位の五重塔が撮像されて上分割部位のデジタル画像が得られる。従って、前記中央分割部位のデジタル画像と上分割部位のデジタル画像とでは画像端部において一部重複するデジタル画像（例えば、幅150ピクセル）を共有している。
【００４８】
本実施の形態では、五重塔40の各分割部位を撮像する際に光電変換素子５を光軸６の垂直平面上で移動させて光軸６を五重塔40に対して固定した状態で撮影しているので、各分割部位の画像において撮影条件が変わらず、撮像により得られた各分割部位のデジタル画像を画像全体で加工する必要がないから、画像処理アプリケーションを用いて上分割部位のデジタル画像と中央分割部位のデジタル画像と下分割部位のデジタル画像とをそれぞれが共有している一部重複するデジタル画像に基づいて容易に結合することができ、五重塔全体の画像データを得ることができる。
【００４９】
また、本実施の形態では、前記光軸６を固定した状態でカメラ本体４を前記平行移動部８内で移動させて前記五重塔40の一分割部位を前記光電変換素子５に投影させ、隣り合う分割部位が一部重複するデジタル画像を撮像する位置へ光電変換素子５を位置付ける分割アダプタ39を使用しているので、一枚の光電変換素子５をイメージサークル内を移動させて図２０に示すように略三枚相当の広さの光電変換素子５を使用した画像データが得られるから、一台のデジタルカメラに搭載されている光電変換素子の解像度（例えば、600万画素）以上の解像度（例えば、（3,008×３−150×２）×2,000＝約1,745万画素）で五重塔を撮影することができる。
【００５０】
なお、本実施の形態においては、建造物を縦に三分割する分割アダプタ39を用いて説明したが、縦移動内枠部34の停止位置の設定によっては建造物を縦四分割、或いは、縦六分割したデジタル画像を得ることができる。また、分割アダプタ39の縦移動内枠部34を使用せず、横移動内枠部28を使用して支持枠部22の左右方向移動用レバー25を操作して任意に横分割したデジタル画像を得ることもできる。
【産業上の利用可能性】
【００５１】
本発明によれば、安価なデジタルカメラ（例えば、600万画素）を使用したコンパクトな撮影装置によって明確な肌分析ができる観察用画像データが得られるから、化粧品販売店舗の店頭等において行われている、その人の肌に最適な美容アドバイスのための肌分析に広く利用できる。
【００５２】
また、本発明によれば、文化財等の建造物を高解像度で撮像することができるから、文化財等のデジタル情報を高い解像度で表示できるデータ量を低コストで保存することができる。
【００５３】
従って、本発明の産業上利用性は非常に高いといえる。
【図面の簡単な説明】
【００５４】
【図１】デジタルカメラを平行移動させて顔面（立体被写体）を撮影するカメラボディと被写体との位置関係説明図である。
【図２】被写体分割部位の投影状態を説明する図である。
【図３】カメラの向きを変えて立体被写体を撮影するカメラボディと被写体との位置関係説明図である。
【図４】被写体分割部位の投影状態を説明する図である。
【図５】本発明における被験者顔面とカメラボディとの位置関係説明図である。
【図６】被写体分割部位の投影状態を説明する図である。
【図７】化粧品販売店舗の店頭に設置された顔面撮影装置の側面図である。
【図８】図７に図示する顔面撮影装置の展開斜視図である。
【図９】図７に図示する顔面撮影装置の平面図である。
【図１０】図７に図示する顔面撮影装置の背面図である。
【図１１】本発明に係る分割撮影用アダプタの概略背面図である。
【図１２】本発明に係る分割撮影用アダプタの概略背面図である。
【図１３】本発明に係る分割撮影用アダプタの概略背面図である。
【図１４】本発明に係る分割撮影用アダプタの概略背面図である。
【図１５】本発明に係る分割撮影用アダプタの概略背面図である。
【図１６】光電変換素子の移動位置を説明する図である。
【図１７】五重塔に対して光軸を固定させた被写体撮影装置の側面図である。
【図１８】本発明に係る分割撮影用アダプタの概略背面図である。
【図１９】本発明に係る分割撮影用アダプタの概略背面図である。
【図２０】光電変換素子の移動位置を説明する図である。
【符号の説明】
【００５５】
１  顔面撮影装置（被写体撮影装置）
２  被験者顔面
３  光学系（一眼レフ交換レンズ、集光レンズ）
４  撮像部（一眼レフデジタルカメラのカメラ本体）
５  光電変換素子（ＣＣＤ）
６  光軸
７  光軸固定部
８  平行移動部
９  台座
１０  レンズ取付部
１１  光軸固定盤
１２  支持ブロック
１３  ガイドレール
１４  支持台
１５  固定台
１６  蛇腹部
１７  支持盤
２２  支持枠部
２３  左右スライドレール
２４  受けスライドレール
２５  左右方向移動用レバー
２６、３２  長孔
２７、３３  支持軸
２８  横移動内枠部
２９  上下スライドレール
３０  受けスライドレール
３１  上下方向移動用レバー
３４  縦移動内枠部
３５  集光レンズ保持部
３６  撮像部取付部
３７  カメラ本体保持盤
３８  ストップ棒
３９  分割撮影用アダプタ
４０  建造物（五重塔）
【図１】
2006270620.tif 000003
【図２】
2006270620.tif 000004
【図３】
2006270620.tif 000005
【図４】
2006270620.tif 000006
【図５】
2006270620.tif 000007
【図６】
2006270620.tif 000008
【図７】
2006270620.tif 000009
【図８】
2006270620.tif 000010
【図９】
2006270620.tif 000011
【図１０】
2006270620.tif 000012
【図１１】
2006270620.tif 000013
【図１２】
2006270620.tif 000014
【図１３】
2006270620.tif 000015
【図１４】
2006270620.tif 000016
【図１５】
2006270620.tif 000017
【図１６】
2006270620.tif 000018
【図１７】
2006270620.tif 000019
【図１８】
2006270620.tif 000020
【図１９】
2006270620.tif 000021
【図２０】
2006270620.tif 000022